(57)【要約】      （修正有）【課題】希釈液体を押し出すときの押し出し力を弱め、押し出し力が大きすぎるために希釈液体が四方へ飛び散ることを避けることの出来る押し付け式ノズルの改良構造を提供する。【解決手段】押し付け式ノズルの改良構造であって、主として、押し付け式ノズル２を含み、押し付け式ノズル２の先端には収容部２１があり、且つ収容部２１は、押し付け式ノズル１内の流通路２２と相互連通し、更にＬ型導管３の一端の連接管口３１を収容部内に挿設し、Ｌ型導管３の別の一端には押し出し管口３２を形成し、更に飛び散り防止カバー４を押し出し管口３２に設置する。上述各部品の構成によって、本件押し付け式ノズルの改良構造を形成する。【選択図】図２
0003157311.tif 000002
【実用新案登録請求の範囲】
【請求項１】
押し付け式ノズルと、Ｌ型導管と、飛び散り防止カバーと、を含む、押し付け式ノズルの改良構造であって、
前記押し付け式ノズルの先端には、収容部があり、且つ前記収容部は、押し付け式ノズル内の流通路と相互連通しており、
前記Ｌ型導管の一端は、連接管口であり、別の一端は押し出し管口であり、更に押し出し管口端部の内壁面に少なくとも一個以上の分流リブを環状設置し、前記連接管口及び押し出し管口は、Ｌ型導管内の流通路と相互連通し、且つ流通路の折れ曲がったところに分流柱体を設置し、前記Ｌ型導管は、連接管口を通して、押し付け式ノズルの収容部の中に挿設し、
前記飛び散り防止カバー内には、分流凸柱を設置し、且つ分流凸柱の周縁にはすくなくとも一個以上の出水孔を貫通穿設し、前記飛び散り防止カバーは、前記Ｌ型導管の押し出し管口に結合されていることを特徴とする、押し付け式ノズルの改良構造。
【請求項２】
前記Ｌ型導管の押し出し管口には、外ねじ山を設置し、飛び散り防止カバーの内壁面には内ねじ山を設置し、前記内ねじ山と前記外ねじ山の設置によって、飛び散り防止カバーが前記Ｌ型導管と相互締め付け固定されることを特徴とする、請求項１に記載の押し付け式ノズルの改良構造。
【請求項３】
前記押し付け式ノズルは、前記Ｌ型導管と相互結合して一体をなしてあることを特徴とする、請求項１に記載の押し付け式ノズルの改良構造。
【考案の詳細な説明】
【技術分野】
【０００１】
本考案は、押し付け式ノズルの改良構造、特に、液体を押し出す際の衝撃力を減らし、液体が過大衝撃力のためにあふれて吹き出すことを避けることの出来る押し付け式ノズルの改良構造に関するものである。
【背景技術】
【０００２】
現在、容器瓶には、既に押し付け式ノズル１が普遍的に使われており、トイレに使われる清潔用品或いは飲食店で使われる調味材料など、到る所で押し付け式の容器瓶が使われ、押し付ける方式によって、軽くノズル１を押し付けるだけで、容器瓶の中の内容物を押し出すことができ、操作使用上、かなり便利である。
市販されている押し付け式ノズル１は非常に使いやすいが、それでも、使用に際して、ユーザーが困ることが時々ある。一般の容器瓶は主として希釈液体或いは濃い流体を入れることが多く、容器瓶の中身が濃い流体である場合、ユーザーがノズル１を押し付けると、濃い流体はゆっくりノズル１から押し出される。
しかし、容器瓶の中身が希釈液体であった場合、ユーザーが希釈液体を容器（例えば、コップなど）の中に押し出すとき、ノズル１を押し付けると、希釈液が快速且つ大量に押しだされ（図１に示すように）、液体が四方に飛び散り、場合によっては、ノズル１へ跳ね返ることがあり、ユーザーにとっては、かなり頭の痛い問題である。
そこで、容器瓶の中身が希釈液体である場合における問題に対して、本考案者は、液体が四方へ飛び散る問題を改善できる方法を研究開発し、ユーザーが一層使いやすいように製品を改善した。
これによって分かるように、上述従来の方式には、尚幾多の欠点があり、よい設計とは言いがたく、改良が待たれていた。本考案者は、上述従来方式に派生する各項の欠点に鑑み、極力新規改善を試み、且つ長年苦心研鑽の末、ついに本件押し付け式ノズルの改良構造の研究開発に成功した。
【考案の概要】
【考案が解決しようとする課題】
【０００３】
本考案の目的は、希釈液体を押し出すときの押し出し力を弱め、押し出し力が大きすぎるために希釈液体が四方へ飛び散ることを避けることの出来る押し付け式ノズルの改良構造を提供することにある。
【０００４】
本考案のもう一つの目的は、構造が簡単で、操作が簡易で、且つ快速に脱着出来る押し付け式ノズルの改良構造を提供することにある。
【課題を解決するための手段】
【０００５】
上述実用新案の目的を達成できる押し付け式ノズルの改良構造は、主として、押し付け式ノズルと、Ｌ型導管及び飛び散り防止カバーなどの構成部品によって組成される。前記押し付け式ノズルの先端には、収容部があり、且つ前記収容部は押し付け式ノズル内の流通路と連通し、更にＬ型導管の一端の連結管口を収容部の中に挿設し、Ｌ型導管の別の一端には押し出し管口を形成し、前記押し出し管口の内壁面に数個の分流リブを環状設置し、且つ前記Ｌ型導管の押し出し管口の外部に外ねじ山を設置し、更にＬ型導管内に分流柱体を設置する。前記分流柱体の設置によって、液体を分流状態に導き、更に飛び散り防止カバーを押し出し管口に設置し、前記飛び散り防止カバーの内壁面には内ねじ山を設置し、且つ飛び散り防止カバー内の中間どころに分流凸柱を設置し、前記分流凸柱と分流柱体は同じ機能を持っている。更に分流凸柱の周縁に数個の出水孔を環設貫通して、液体をここから押し出すようにしてある。上述各構成部品の組成によって、本件押し出し式ノズルの改良構造を形成する。
【考案の効果】
【０００６】
本考案に係る押し出し式ノズルの改良構造は、その他従来の技術に比べ、更に下記のような長所がある。
１．本考案は、希釈液体を押し出すときの押し出し力を弱め、押し出し力が大きすぎるために希釈液体が四方へ飛び散ることを避けることが出来る。
２．本考案は、構造が簡単で、操作が簡易な、且つ快速に脱着出来る。
【図面の簡単な説明】
【０００７】
【図１】従来ノズルの使用状態図である。
【図２】本考案に係る押し付け式ノズルの改良構造の分解図である。
【図３】前記押し付け式ノズルの改良構造の結合図である。
【図４】前記押し付け式ノズルの改良構造におけるＬ型導管の底面図である。
【図５】前記押し付け式ノズルの改良構造の使用状態の説明図である。
【図６】前記押し付け式ノズルの改良構造の別の実施例の説明図である。
【考案を実施するための形態】
【０００８】
図２から図４までは、本考案に係る押し付け式ノズルの改良構造の各図面であり、主として、押し付け式ノズル２と、Ｌ型導管３と、飛び散り防止カバー４と、を含み、前記押し付け式ノズル２の先端に収容部２１があり、且つ前記収容部２１は、押し付け式ノズル２内の流通路２２と相互連通しており、前記Ｌ型導管３の一端は、連接管口３１であり、別の一端は押し出し管口３２である。更に押し出し管口３２の端部の内壁面に少なくとも一個以上の分流リブ３２１を環状に設置し、且つ前記押し出し管口３２の外部に外ねじ山３３を設置し、前記連接管口３１と押し出し管口３２は、Ｌ型導管３内の流通路３４と相互連通し、更に流通路３４の折れ曲がったところに分流柱体３５が設置してある。前記Ｌ型導管３は、連接管口３１を通して押し付け式ノズル２の収容部２１内に挿設してある。前記飛び散り防止カバー４の内壁面に内ねじ山４１を設置し、且つ飛び散り防止カバー４内の中間どころに分流凸柱４２を設置し、更に分流凸柱４２の周縁に少なくとも一個以上の出水孔４３を環設貫通し、液体がそこから押し出されるようにしてある。前記飛び散り防止カバー４は、内ねじ山４１及びＬ型導管３の外ねじ山３３と相互締め付け結合している。上述各構成部品の組成によって、本件の押し付け式ノズルの改良構造を形成する。尚、図４は、Ｌ型導管３の底面図であり、分流リブ３２１の設置形態を明確に知ることが出来る。
【０００９】
図５は、前記押し付け式ノズルの改良構造の使用状態図であり、ユーザーが押し付け式ノズル２を下へ押すと、容器瓶内の液体が押し付け式ノズル２の流通路２１を経由してＬ型導管３の流通路３４の中へ快速に流れ込む。このとき、Ｌ型導管３の分流リブ３２１や分流柱体３５及び飛び散り防止カバー４の分流凸柱４２の設置によって、流通する液体が分流リブ３２１や分流柱体３５及び分流凸柱４２の分流に導かれて、飛び散り防止カバー４の出水孔４３から押し出される。押し出された液体は、いくつかに分流する方式で、液体が押し出される衝撃力を大幅に抑えられ、液体の流量を減らすことによって、液体が押し出されるとき四方へ飛び散ることを避けることが出来る。又、前記飛び散り防止カバー４は、螺合方式でＬ型導管３に締め付けられているので、飛び散り防止カバー４を掃除するときは、容易く飛び散り防止カバー４を取り外し、快速に清掃することが出来る。尚、前記押し付け式ノズル２は、Ｌ型導管３と相互結合して一体となすことも出来る（図６に示すように）。
【００１０】
上述詳細な説明は、本考案の実行可能な実施例の具体的説明であり、但し前記実施例は本考案の請求範囲を制限するものではなく、凡そ本考案の技芸精神を逸脱せずになされる等価実施又は変更は、全て本案の特許請求範囲に含まれるものとする。
【００１１】
以上を総合すると、本考案は、空間形態上確かに創造的であるのみならず、従来の物品に比べ、上述多項目の効能を増進しており、既に新規性及び進歩性の法定実用新案登録請求の要件を十分満たしておるものとして、ここに申請を提出する次第である。
【符号の説明】
【００１２】
１      ノズル
２      押し付け式ノズル
２１    収容部
２２    流通路
３      Ｌ型導管
３１    連接管口
３２    押し出し管口
３２１  分流リブ
３３    外ねじ山
３４    流通路
３５    分流柱体
４      飛び散り防止カバー
４１    内ねじ山
４２    分流凸柱
４３    出水孔
【図１】
0003157311.tif 000003
【図２】
0003157311.tif 000004
【図３】
0003157311.tif 000005
【図４】
0003157311.tif 000006
【図５】
0003157311.tif 000007
【図６】
0003157311.tif 000008